(57)【要約】【課題】物品のロット表示としてデッドスペースが生じることがなく小スペースで表示できるロット表示部を備えるロット表示付き物品を提供する。【解決手段】ロット表示付き物品１は、この物品１において印刷に使用される版を特定する情報およびこの版の使用回数情報の少なくとも一方を表示するロット表示部３を備える。これにより、ロット表示付き物品１の製造状況にフレキシブルに対応でき、デッドスペースが生じることなく、小スペースで表示できるロット表示部３を備えるロット表示付き物品１を提供できる。【選択図】  図３
2006172221.tif 000002
【特許請求の範囲】
【請求項１】
物品のロット表示として、該物品の初回ロットを特定する情報と該物品の初回ロットからの生産ロットを特定する情報とを表示することを特徴とするロット表示データ。
【請求項２】
請求項１に記載のロット表示データは、前記物品において印刷に使用される版を利用して印刷されることを特徴とするロット表示データ。
【請求項３】
物品のロット表示として、該物品において印刷に使用される版を特定する情報および該版の使用回数情報の少なくとも一方を表示することを特徴とするロット表示データ。
【請求項４】
前記版を特定する前記情報は、該版の製作時点情報または、該版の初回使用ロット情報であることを特徴とする請求項３に記載のロット表示データ。
【請求項５】
請求項３または請求４に記載のロット表示データは、前記版を利用して印刷されることを特徴とするロット表示データ。
【請求項６】
物品の初回ロットを特定する情報と該物品の初回ロットからの生産ロットを特定する情報とを表示するロット表示部を備えることを特徴とするロット表示付き物品。
【請求項７】
前記ロット表示部は、請求項６に記載のロット表示付き物品において印刷に使用される版を利用して印刷されることを特徴とするロット表示付き物品。
【請求項８】
物品において印刷に使用される版を特定する情報および該版の使用回数情報の少なくとも一方を表示するロット表示部を備えることを特徴とするロット表示付き物品。
【請求項９】
前記版を特定する前記情報は、該版の製作時点情報または、該版の初回使用ロット情報であることを特徴とする請求項８に記載のロット表示付き物品。
【請求項１０】
前記ロット表示部は、前記版を利用して印刷されることを特徴とする請求項８または請求項９に記載のロット表示付き物品。
【請求項１１】
請求項７ないし請求項１０のいずれか一項に記載のロット表示付き物品は、前記版を利用して印刷された回路配線を備える回路基板であることを特徴とするロット表示付き物品。
【請求項１２】
前記ロット表示部を、前記回路配線を印刷する材料で印刷することを特徴とする請求項１１に記載のロット表示付き物品。
【請求項１３】
回路部品が組みつけられる近傍に該回路部品の名称又は表象を表示する部品表示部を備え、
前記ロット表示部を、前記部品表示部を印刷する材料で印刷することを特徴とする請求項１１に記載のロット表示付き物品。
【請求項１４】
請求項７ないし請求項１０のいずれか一項に記載のロット表示付き物品は、前記版を利用して印刷された表示意匠を備える表示装置用表示盤であることを特徴とするロット表示付き物品。
【発明の詳細な説明】
【技術分野】
【０００１】
本発明は、ロット表示データおよびロット表示付き物品に関するものである。
【背景技術】
【０００２】
ＩＳＯ（国際標準化機構）によって制定された品質保証の国際規格であるＩＳＯ９０００シリーズは、２０の品質要素を要求し、その一つとして、製品の識別とトレーサビリティを要求する。これは、製品の生産単位（ロット）を表示するロット表示等を実施することによって製品の識別を行い、このロット表示等に基づいて製品のトレーサビリティ（製品ロットの追跡）を行うものである。
【０００３】
例えば、版を利用して製造されるプリント配線板であって、その製造年月日を表示するロット表示部を、この版を利用してプリント配線板上に印刷するものが開示されている（特許文献１を参照）。これは、製造年と製造月と製造日として、それぞれ、ロット表示データである数字データを並べたロット表示部を設けている。
【０００４】
具体的には、製造月として、その一部の数字データを消去したり一度消去した数字データを元に戻したりして、消去されていない数字データを加算することによって、製造月を表示する。
【０００５】
例えば、数字データの「１、２、４、８」のうち「４」と「８」を消去して、消去されていない数字データの「１」と「２」を加算することによって、製造月として「３月」を表示する。この状態から、製造月として「４月」を表示するには、「１」と「２」を消去して、一度消去した数字データの「４」を消去されていない元の状態に戻す。これにより、消去されていない数字データ「４」によって、製造月として「４月」を表示する。
【０００６】
製造日も、同様な消去と加算をすることにより表示ものであるが、月が１月から１２月であるのに対して、日が１日から３１日であるため、その製造日の数字データは「１、２、４、８、１６」となり、製造月の数字データより大きな表示スペースを必要とする。
【０００７】
その製造年月日の表示を変えつつ同じ版を繰り返し使用するものであり、これにより、ＩＳＯ９０００シリーズの要求事項である製品の識別とトレーサビリティを行うものである。
【特許文献１】特開平６−６９６１４号公報
【発明の開示】
【発明が解決しようとする課題】
【０００８】
しかし、特許文献１では、同じ版を繰り返し使用しつつプリント配線板の製造年月日（製造時）の表示を変更するため、その工夫として、上述したように、数字データを消去したり一度消去した数字データを元に戻したりする。このため、製造月日として、数字データ（「１、２、４、８」と「１、２、４、８、１６」）が大きな表示スペースを必要として、ロット表示部のスペースが大きくなる。
【０００９】
しかも、例えば、このプリント配線板が１週間（１月）に１ロット（１回の生産単位）で生産される場合、製造年月日まで表示できるロット表示部のスペースが無駄となり、即ち、デッドスペース（必要のない表示スペース）が大きくなる。これにより、ロット表示部が無用に大きくなってしまう。
【００１０】
逆に、このプリント配線板の製造年月を表示できるロット表示部においては、このプリント配線板が毎日製造される場合、これに対応できなくなる。
【００１１】
また、同日（同月）に複数のロットで生産される場合には、この複数の製品ロットを表示できるスペースを、ロット表示部に追加する必要がある。このため、ロット表示部のスペースがさらに大きくなる。
【００１２】
一方、この複数の製品ロットを表示できるスペースを有するロット表示部においては、１日（１月）に１ロットの生産である場合、デッドスペースが大きくなる。これにより、ロット表示部が無用に大きくなってしまう。
【００１３】
つまり、特許文献１のロット表示部は、プリント配線板の製造状況にフレキシブルに対応できず、ロット表示部のこの大きな表示スペースにデッドスペースが生じることにより、この大きなスペースを無用に必要とする。
【００１４】
このことは、印刷を利用するプリント配線版に限らず、種々の物品において、識別データ（ロット表示）を形成する場合に共通する問題である。
【００１５】
本発明は、上記問題点に鑑みてなされたものであり、物品のロット表示としてデッドスペースが生じることがなく小スペースで表示できるロット表示データ、およびこの物品のロット表示としてデッドスペースが生じることがなく小スペースで表示できるロット表示部を備えるロット表示付き物品を提供することを目的とする。
【課題を解決するための手段】
【００１６】
本発明は上記目的を達成するため、以下の技術的手段を採用する。
【００１７】
請求項１に記載のロット表示データは、物品のロット表示として、物品の初回ロットを特定する情報と物品の初回ロットからの生産ロットを特定する情報とを表示する構成とする。
【００１８】
この構成では、ロット表示データは、物品の初回ロットを特定する情報と物品の初回ロットからの生産ロットを特定する情報とを表示する。これにより、ロット表示データは、この物品が１週間（１月）に１ロットで生産される場合であろうが、毎日（毎週、毎月）生産される場合であろうが、１日（１週、１月）に複数のロットで生産される場合であろうが、これらにフレキシブルに対応できる。この結果、ロット表示データにデッドスペースが生じることがなく、小スペースで表示できるロット表示データを実現できる。
【００１９】
請求項２に記載のロット表示データは、請求項１に記載のロット表示データが物品において印刷に使用される版を利用して印刷される構成とする。
【００２０】
この構成では、ロット表示データが、物品において印刷に使用される版を利用して印刷されるため、印刷が利用される物品のロット表示データにおいて、低コストで上述の効果を得ることができる。
【００２１】
請求項３に記載のロット表示データは、物品のロット表示として、物品において印刷に使用される版を特定する情報およびこの版の使用回数情報の少なくとも一方を表示する構成とする。
【００２２】
この構成では、ロット表示データは、版を特定する情報および版の使用回数情報の少なくとも一方を表示する。これにより、ロット表示データは、版を特定する情報を表示する場合、単数の物品ロットを特定でき、版の使用回数情報を表示する場合、複数の物品ロットを特定できる。
【００２３】
その結果、この物品が１週間（１月）に１ロットで生産される場合であろうが、毎日（毎週、毎月）生産される場合であろうが、１日（１週、１月）に複数のロットで生産される場合であろうが、これらにフレキシブルに対応できる。この結果、このロット表示データにデッドスペースが生じることがなく、小スペースで表示できるロット表示データを実現できる。
【００２４】
請求項４に記載のロット表示データは、版を特定する情報が版の製作時点情報または、版の初回使用ロット情報である構成とする。
【００２５】
この構成では、版を特定する情報が版の製作時点情報または、版の初回使用ロット情報であり、これにより上述の効果を得ることができる。
【００２６】
請求項５に記載のロット表示データは、ロット表示データが版を利用して印刷される構成とする。
【００２７】
この構成では、ロット表示データが版を利用して印刷されるため、低コストで上述の効果を得ることができる。
【００２８】
請求項６に記載のロット表示付き物品は、物品の初回ロットを特定する情報と物品の初回ロットからの生産ロットを特定する情報とを表示するロット表示部を備える構成とする。
【００２９】
この構成では、ロット表示部は、物品の初回ロットを特定する情報と初回ロットからの生産ロットを特定する情報とを利用して、物品ロット（生産単位）を特定する。これにより、ロット表示部は、この物品が１週間（１月）に１ロットで生産される場合であろうが、毎日（毎週、毎月）生産される場合であろうが、１日（１週、１月）に複数のロットで生産される場合であろうが、これらにフレキシブルに対応できる。この結果、ロット表示部にデッドスペースが生じることがなく、小スペースで表示できるロット表示部を実現できる。
【００３０】
請求項７に記載のロット表示付き物品は、ロット表示部が請求項６に記載のロット表示付き物品において印刷に使用される版を利用して印刷される構成とする。
【００３１】
この構成では、ロット表示付き物品において印刷が利用され、ロット表示部は、この印刷に使用される版を利用して印刷される。これにより、印刷が利用されるロット表示付き物品において、低コストで上述の効果を得ることができる。
【００３２】
請求項８に記載のロット表示付き物品は、物品において印刷に使用される版を特定する情報およびこの版の使用回数情報の少なくとも一方を表示するロット表示部を備える構成とする。
【００３３】
この構成では、ロット表示部は、版を特定する情報および版の使用回数情報の少なくとも一方を利用して、版の印刷を利用する物品ロット（生産単位）を特定する。これにより、ロット表示部は、版を特定する情報を利用する場合、単数の物品ロットを特定でき、版の使用回数情報を利用する場合、複数の物品ロットを特定できる。
【００３４】
その結果、この物品が１週間（１月）に１ロットで生産される場合であろうが、毎日（毎週、毎月）生産される場合であろうが、１日（１週、１月）に複数のロットで生産される場合であろうが、これらにフレキシブルに対応できる。この結果、このロット表示部にデッドスペースが生じることがなく、小スペースで表示できるロット表示部を実現できる。
【００３５】
請求項９に記載のロット表示付き物品は、版を特定する情報が版の製作時点情報または、版の初回使用ロット情報である構成とする。
【００３６】
この構成では、版を特定する情報が版の製作時点情報または、版の初回使用ロット情報であり、これにより上述の効果を得ることができる。
【００３７】
請求項１０に記載のロット表示付き物品は、ロット表示部が版を利用して印刷される構成とする。
【００３８】
この構成では、ロット表示部が版を利用して印刷されるため、低コストで上述の効果を得ることができる。
【００３９】
請求項１１に記載のロット表示付き物品は、請求項７ないし請求項１０のいずれか一項に記載のロット表示付き物品が版を利用して印刷された回路配線を備える回路基板である構成とする。
【００４０】
この構成では、ロット表示付き物品が版による印刷を利用して形成された回路配線を備える回路基板であり、この回路基板で上述の効果を得ることができる。
【００４１】
請求項１２に記載のロット表示付き物品は、ロット表示部を回路配線を印刷する材料で印刷する構成とする。
【００４２】
この構成では、ロット表示部を回路配線を印刷する材料で印刷するため、回路配線を形成する工程で同時にロット表示部を形成できる。これにより、低コストで上述の効果を得ることができる。
【００４３】
請求項１３に記載のロット表示付き物品は、回路部品が組みつけられる近傍に回路部品の名称又は表象を表示する部品表示部を備え、ロット表示部を部品表示部を印刷する材料で印刷する構成とする。
【００４４】
この構成では、ロット表示部を部品表示部を印刷する材料で印刷するため、部品表示部を形成する工程で同時にロット表示部を形成できる。これにより、低コストで上述の効果を得ることができる。
【００４５】
請求項１４に記載のロット表示付き物品は、請求項７ないし請求項１０のいずれか一項に記載のロット表示付き物品が版を利用して印刷された表示意匠を備える表示装置用表示盤である構成とする。
【００４６】
この構成では、ロット表示付き物品が版による印刷を利用して形成された表示意匠を備える表示装置用表示盤であり、この表示装置用表示盤で上述の効果を得ることができる。
【発明を実施するための最良の形態】
【００４７】
以下、本発明によるロット表示付き物品を、プリント配線板１に適用した場合を例に図面に基づいて説明する。
【００４８】
（構成）
図１は、本発明の一実施形態によるロット表示付き物品であるプリント配線板１の平面模式図である。
【００４９】
図２は、プリント配線板１の製造工程図である。
【００５０】
図３は、本発明の一実施形態によるロット表示付き物品であるプリント配線板１のロット表示部３の構成図である。
【００５１】
図４は、ロット表示部３の面付け表示部３１が表示する面付け番号の付す方法を示す説明図である。
【００５２】
図１に示すプリント配線板１は、例えば１層配線構造のもので、その片面に金属箔（例えば、厚さ３５μｍ程度の銅箔）等の導電層が形成された、ガラスエポキシ樹脂や紙フェノール樹脂等からなる絶縁基板からなるものである。
【００５３】
プリント配線板１は、図示しない回路部品が組み付けられる回路形成部２とプリント配線板１を生産単位（ロット）で識別してこれを追跡するためのロット表示部３とを備える。図１では、ロット表示部３を回路形成部２の外周に設けているが、この内側に設けてもよい。
【００５４】
プリント配線板１は、一般に図２に示す製造工程で製造される。例えば、工程Ｓ１で、１０００×１０００ｍｍサイズの銅張り積層板を所定の作業サイズに切断する。、工程Ｓ２で回路レジストを印刷により形成し、工程Ｓ３でエッチングを行って不要な金属導体を除去し、工程Ｓ４でレジストを剥離することで、所望する回路配線である回路導体を形成する。
【００５５】
工程Ｓ５で半田レジストを印刷により形成し、工程Ｓ６で回路形成部２に組み付けられる図示しない回路部品の名称又は表象（シンボル）を表示する部品表示部等を形成する文字印刷工程を印刷で行う。工程Ｓ７で製品出荷するサイズ（例えば、１００ｍｍ×１００ｍｍ）となるように外形プレスにより１００枚の単体基板即ちプリント配線板１にカットし、工程Ｓ８でプリント配線板１を検査し、これを出荷する。
【００５６】
ロット表示部３は、工程Ｓ２と工程Ｓ５または工程Ｓ６で形成される。例えば、ロット表示部３を工程Ｓ２とで形成する場合、ロット表示部３は、回路配線である回路導体を形成する材料（例えば、銅箔）で表示される。ロット表示部３を工程Ｓ５で形成する場合、ロット表示部３は、パターンを保護する材料（例えば、ＵＶ（紫外線硬化）インク）でヌキ印刷で表示される。ロット表示部３を工程Ｓ６で形成する場合、ロット表示部３は、回路部品の名称又は表象を表示する材料（例えば、ＵＶ（紫外線硬化）インク）で表示される。
【００５７】
ロット表示部３は、図３に示すように、面付け番号を表示する面付け表示部３１と、版の製作時点情報（図３では、製作年月）を表示する製作時表示部３２と、版の使用回数情報を表示する使用回数表示部３３とから構成される。
【００５８】
上述したように、工程Ｓ１−Ｓ６までは、プリント配線板１の１００枚分を１枚として各処理を行い、工程Ｓ７で１００枚のプリント配線板１とする。その１００枚のプリント配線板１の各々に付される番号を面付け番号といい、図４に示すように、この面付け番号を２個の数字の組み合わせで表示する。図４に示す１００個の升目は、１００枚のプリント配線板１に対応し、工程Ｓ７でカットする前の位置を示す。
【００５９】
具体的には、図４の矢印に示す最も上側の横列と図４の矢印に示す最も左側の縦列の交差する位置において、プリント配線板１の面付け番号を「００」とし、これから図４の矢印に示す右側に向かって、「０１」、「０２」・・・「０９」とする。また、「００」から、図４の矢印に示す下側へ向かって、「１０」、「２０」・・・「９０」とし、最も下側の横列と最も右側の縦列の交差する位置の面付け番号を「９９」とする。
【００６０】
図３に示す面付け表示部３１は、図４において面付け番号が「２２」の位置のプリント配線板１であることを示す。
【００６１】
図３に示す製作時表示部３２は、プリント配線板１の製造に用いられた版の製作時点情報を示し、「０４９」は、プリント配線板１の製造に用いられた版が２００４年９月に製作されたことを示す。また、１０月と１１月と１２月は、それぞれ、「Ｘ」、「Ｙ」、「Ｚ」で示す。
【００６２】
ここで、版とは、工程Ｓ２、Ｓ５、Ｓ６で用いられた各スクリーン印刷版をいい、版の製作時点情報とは、これらのスクリーン印刷版が製作された年月日（または、年月等）をいう。ロット表示部３を工程Ｓ２や工程Ｓ５や工程Ｓ６で形成する場合、ロット表示部３は、工程Ｓ２や工程Ｓ５や工程Ｓ６で用いられるスクリーン印刷版で形成される。
【００６３】
図３に示す使用回数表示部３３は、プリント配線板１の製造に用いられた版の使用回数情報を示し、ドット表示である「      ・・・・・・・」は、版を３回使用したことを示す。ここで、版の使用回数情報とは、例えば、工程Ｓ４、Ｓ６、Ｓ７で用いる版の印刷機へのセッティング回数をいう。
【００６４】
版の使用回数情報の表示は、版を印刷機へセッティングする毎に、その前に使用回数表示部３３を形成する版の複数の穴部（最初は１０個の穴部）を１個ずつ埋めてゆくことによって行う。この埋める材料は、樹脂が配合されたコーティング材や塗料等であり、これを、筆塗りやディスペンサー等で塗布し、自然乾燥や紫外線等により硬化させる。
【００６５】
図３において、使用回数表示部３３の黒丸は、版の穴部が埋められないで印刷された丸を示し、破線で示す丸は、版の穴部が埋められたことによって、印刷されなかった丸を示す。
【００６６】
（作用効果）
上述したように構成された本発明の一実施形態によるロット表示部３を備える製品であるプリント配線板１の作用効果について、上述の従来技術と比較して説明する。
【００６７】
従来技術でも、版を利用して製造されるプリント配線板のロット表示部が、この版を利用してプリント配線板上に形成される。しかし、プリント配線板の製造年月日を表示するロット表示部を設けるため、前述したように、ロット表示部は、製造月日を変更可能に表示できるように大きな表示スペースを必要する。
【００６８】
また、このロット表示部は、プリント配線板の製造状況にフレキシブルに対応できず、ロット表示部のこの大きな表示スペースにデッドスペースが生じ、この大きなスペースを無用に必要とする。
【００６９】
例えば、このプリント配線板が１月に１ロット（１回の生産単位）で生産される場合は、製造年月日まで表示できるロット表示部のこの大きなスペースが無駄となり、１日に１ロットで生産される場合は、複数の製品ロットを表示できるスペースが無駄となる。
【００７０】
一方、本発明では、版がロット表示付き物品であるプリント配線板１を製造するのに用いられ、この版を特定する版の製作時点情報と使用回数情報を表示するロット表示部３をプリント配線板１に設ける。
【００７１】
これにより、ロット表示部３は、版を特定する製作時点情報とこの版の使用回数情報とを利用して、この版の印刷を利用するプリント配線板１のロット（生産単位）を特定する。このため、ロット表示部３は、複数のプリント配線板１のロットを特定できる。
【００７２】
その結果、プリント配線板１の製造月日を変更可能に表示できるようにする必要もなく、プリント配線板１が１週間（１月）に１ロットで生産される場合であろうが、毎日（毎週）生産される場合であろうが、１日（１週、１月）に複数のロットで生産される場合であろうが、これらにフレキシブルに対応できる。即ち、このロット表示部３にデッドスペースが生じることがなく、小スペースで表示できるロット表示部３を実現できる。
【００７３】
また、従来技術では、ロット表示部は、前述したように、プリント配線板の製造時（製造年月日）を表示するものであり、ロット表示部の表示をその製造時毎に（製品ロット毎に）変更する必要がある。
【００７４】
このため、前述したように、数字データを消去したり一度消去した数字データを元に戻し、版の数字データの部分を仮埋めしたりそれを外したりする必要がある。これにより、この仮埋めを外すことができるようにする必要が生じ、この仮埋めが外れたり外し損なったりして、ロット表示に誤りが生ずる恐れもある。
【００７５】
また、年がかわるとロット表示を変える必要が生じるため（ロットの区別がつかなくなるため）、版の消耗度合いと無関係に版の更新が必要となり無用なコストアップとなる。
【００７６】
さらに、消耗品である版の製作日とその使用回数が不明で、版の使用期限を別管理する必要もある。
【００７７】
一方、本発明では、ロット表示部３の版の製作時点情報の部分がその版の交換と共に変更されるため、製品ロット毎にはロット表示部３の使用回数情報の部分のみ変更、即ち、上述したように、使用回数表示部３３を形成する版の複数の穴部（最初は１０個の穴部）を１個ずつ埋めてゆくだけでよい。
【００７８】
この結果、本発明では、ロット表示部３において、製品ロット毎に変更を必要とする表示部分が少なくできるため、より小スペースでロット表示部３を設けることができると共にロット表示に誤りが生ずる恐れもない。
【００７９】
さらに、消耗する版の使用回数情報を表示するため、版の使用回数情報により版の消耗度合いもチェックできるため、版の消耗度合いに応じてこれを交換でき、無用なコストアップも生じない。例えば、版の使用回数の限度が１２回であるならば、使用回数表示部３３を１２回の表示とする。
【００８０】
これにより、版の使用回数の限度が１２回に達したときに、使用回数表示部３３の変更部分（埋める穴）がなくなり、ロット表示部３のスペースを無駄にすることなくこの版を交換することができる。
【００８１】
図５は、図３の第１変形例を示す構成図である。
【００８２】
図６は、図３の第２変形例を示す構成図である。
【００８３】
図７は、図３に示す製作時表示部３２の変形例を示す構成図である。
【００８４】
図８は、図３に示す使用回数表示部３３の変形例を示す構成図である。
【００８５】
図５に示すように、面付け表示部３１と製作時表示部３２と合成した合成表示部３０としてもよい。
【００８６】
また、図６に示すように、使用回数表示部３３を１０の位を表示する使用回数表示部３３ａと１の位を表示する使用回数表示部３３ｂとに分けてもよい。図６に示す使用回数表示部３３ａ、３３ｂは、版を１２回使用したことを示す。
【００８７】
また、図７に示すように、製作時点情報を示す製作時表示部３２は、数字ではなく、使用回数表示部３３と同様にドット表示でも良い。この場合に、製作時表示部３２を、年を表示する製作時表示部３２ａと月を表示する製作時表示部３２ｂとに分けてもよい。図７（１）は、版を２００４年５月に製作したことを示す。
【００８８】
図７（２）は、製作時表示部３２ａ、３２ｂの表示方法を説明するための説明図であり、例えば、７，８，９の位置のドット（版の穴部）を表示しなければ（埋めれば）、「１０」を表示したものとする。具体的には、１，７，８，９の位置のドット（版の穴部）を表示しなければ（埋めれば）、「１１」を表示したものとし、４−９の位置のドット（版の穴部）を表示しなければ（埋めれば）、「０」を表示したものとする。
【００８９】
また、図８に示すように、使用回数表示部３３を図中の矢印に示す上下方向へ３列のドット表示としても良い。図８（１）は、版の使用回数が「７」であることを示す。
【００９０】
また、面付け表示部３１の面付け番号の付し方は、図４に示した方法に限らない。
【００９１】
また、本発明は、プリント配線板１に限らず、ハイブリッド基板や表示装置用表示盤であってもよい。この場合、版は、ロット表示付き物品であるハイブリッド基板や表示装置用表示盤を製造するために用いる版であり、この版の製作時点情報またはその使用回数情報を表示するロット表示部３をハイブリッド基板や表示装置用表示盤に設ける。これにより上述の効果が得られる。
【００９２】
ロット表示付き物品は、最終製品に限らず、製造中間品（例えば、図２の工程Ｓ６が終了したもの、即ち、Ｓ７が終了する前のもの）であってもよい。
【００９３】
また版も、上述したスクリーン印刷版に限らず、凹版印刷版や凸版印刷版等であってもよい。
【００９４】
さらに、版を特定する情報は、その製作時点情報に限る必要はなくて、その初回使用ロット情報であってもよい。この場合は、図３において、製作時表示部３２の「０４９」は、プリント配線板１の製造に用いられた版が２００４年９月に最初に使用されたことを示す。
【００９５】
また、版を特定する情報は、「Ａ」、「Ｂ」、「Ｃ」・・・等の単なる文字や記号であってもよい。例えば、版の製作時点情報では、複数の版が同じ製作時である場合、これらを区別できないが、版を特定する情報である「Ａ」、「Ｂ」、「Ｃ」・・・等の単なる文字や記号であれば、この場合でもこれらを区別できる。  以上、版を利用して製造されたロット表示付き物品であって、その版を特定する情報やその使用回数情報を表示するロット表示部３を備えるロット表示付き物品を例にして、本発明を説明した。しかし、これに限る必要はなく、必ずしも印刷を利用しない物品の初回ロットを特定する情報とこの物品の初回ロットからの生産ロットを特定する情報とを表示するロット表示部を備えるロット表示付き物品であっても良い。
【００９６】
つまり、従来技術では、物品の製造時と物品ロット等を表示するロット表示部を設けるのに対して、本発明では、ロット表示として、この物品の製造時点情報に代えて、印刷用の版に関する情報または、物品の初回ロットを特定する情報とこの物品の初回ロットからの生産ロットを特定する情報とを利用することに着目したものである。
【００９７】
尚、この物品の初回ロットを特定する情報を、例えば、この物品の製造年月としても良い。この場合において、１０ロット単位で生産管理する場合であって、初回ロットとしてこの物品を２００４年９月に製造した場合を例に、図３において説明する。
【００９８】
この場合において、図３は、図４において面付け番号が「２２」の位置のプリント配線板１で、初回ロットが２００４年９月のもので、第３ロットのものであることを示す。従来技術の場合と異なるのは、第３ロットは、必ずしも２００４年９月のものではないことである。即ち、第３ロットは、初回ロットと異なる例えば２００６年１０月の場合もあれば、初回ロットと同じ２００４年９月の場合もある。
【００９９】
また、物品の初回ロットを特定する情報を、例えば、「Ａ」、「Ｂ」、「Ｃ」・・・等の単なる文字や記号としてもよい。  これにより、このロット表示付き物品が１週間（１月）に１ロットで生産される場合であろうが、毎日（毎週）生産される場合であろうが、１日（１週、１月）に複数のロットで生産される場合であろうが、これにフレキシブルに対応できる。即ち、このロット表示部３にデッドスペースが生じることがなく、小スペースで表示できるロット表示部３を実現できる。
【図面の簡単な説明】
【０１００】
【図１】図１は、本発明の一実施形態によるロット表示付き物品であるプリント配線板１の平面模式図である。
【図２】図２は、プリント配線板１の製造工程図である。
【図３】図３は、本発明の一実施形態によるロット表示付き物品であるプリント配線板１のロット表示部３の構成図である。
【図４】図４は、ロット表示部３の面付け表示部３１が表示する面付け番号の付す方法を示す説明図である。
【図５】図５は、図３の第１変形例を示す構成図である。
【図６】図６は、図３の第２変形例を示す構成図である。
【図７】図７は、図３に示す製作時表示部３２の変形例を示す構成図である。
【図８】図８は、図３に示す使用回数表示部３３の変形例を示す構成図である。
【符号の説明】
【０１０１】
１    プリント配線板（ロット表示付き物品、回路基板、表示装置用表示盤）
２    回路形成部
３    ロット表示部
３０    合成表示部
３１    面付け表示部
３２    製作時表示部
３２ａ    製作時表示部
３２ｂ    製作時表示部
３３    使用回数表示部
３３ａ    使用回数表示部
３３ｂ    使用回数表示部
【図１】
2006172221.tif 000003
【図２】
2006172221.tif 000004
【図３】
2006172221.tif 000005
【図４】
2006172221.tif 000006
【図５】
2006172221.tif 000007
【図６】
2006172221.tif 000008
【図７】
2006172221.tif 000009
【図８】
2006172221.tif 000010